(57)【要約】【課題】  赤外線発射装置等によるメダル検知センサの誤作動をなくし、不正行為の行われるのを防止する。【解決手段】  メダル投入口より投入されたメダルを案内して筐体内に取込むメダル通路に、投光器４６と受光器４７とからなるメダル検知センサＳ１、Ｓ２を設け、投入されたメダルが投光器４６より受光器４７に向かって発光される光軸を遮ることにより、メダルの通過を検出するようにした遊技機において、投光器４６をパルス信号により発光するようにするとともに、そのパルス信号の発光パターンを、パルスパターン制御手段５４により変更しうるようにする。【選択図】  図８
2006051141.tif 000002
【特許請求の範囲】
【請求項１】
メダル投入口より投入されたメダルを案内して筐体内に取込むメダル通路に、投光器と受光器とからなるメダル検知センサを設け、投入されたメダルが前記投光器より受光器に向かって発せられる光軸を遮ることにより、メダルの通過を検出するようにした遊技機において、
前記投光器をパルス信号により発光するようにするとともに、そのパルス信号の発光パターンを、パルスパターン制御手段により変更しうるようにしたことを特徴とする遊技機。
【請求項２】
パルスパターン制御手段が、発光パターンにおけるパルス幅を変更するパルス幅変調器を備えるものである請求項１記載の遊技機。
【請求項３】
パルスパターン制御手段が、発光パターンにおけるパルス間隔を変更するパルス間隔変調器を備えるものである請求項１または２記載の遊技機。
【請求項４】
パルスパターン制御手段を、発光パターンにおけるパルス幅又はパルス間隔もしくはそれらの両方が異なるパルスパターンを記憶させたパルスパターンメモリとした請求項１記載の遊技機。
【請求項５】
パルスパターンメモリが、複数の異なるパルスパターンを予め記憶させたものである請求項４記載の遊技機。
【発明の詳細な説明】
【技術分野】
【０００１】
本発明は、例えばスロットマシン等の遊技機に係り、特に、メダル検知センサを誤作動させる不正行為が行われるのを防止しうるようにした遊技機に関する。
【背景技術】
【０００２】
スロットマシンのような遊技機の中には、投入メダルが正規の大きさ（直径）のメダルか否かを選別するとともに、正規の１枚のメダルが正しく投入されたか否かを、上流側と下流側の２個のメダル検知センサにより検出して計数しうるようにしたメダルセレクター（メダル選別装置）を備えるものがある（例えば特許文献１、２参照）。
【特許文献１】特開２００２−２４８２１０号公報
【特許文献２】特開２００２−３３６４１６号公報
【発明の開示】
【発明が解決しようとする課題】
【０００３】
上記特許文献に記載されているメダルセレクターにおけるメダル検知センサは、いずれも、投光器（部）と受光器（部）とからなる遮光式のフォトセンサ（赤外線センサ）であり、投光器より受光器に向かって照射される光の光軸をメダルが遮ることにより、投入メダルの通過を検出して計数するようになっている。
【０００４】
そのため、メダル投入口より、メダルセレクター内部のメダル検知センサ付近まで赤外線発射装置等を差し込み、受光器に向かって赤外線を発射させるなどした際に、メダル検知センサが誤作動を起こし、メダルを実際に投入したと同様の仮想のメダル投入状態とする不正行為が行われる恐れがある。このような不正行為が行われると、あたかも実際に多くのメダルが投入されて貯留されたかのような擬似クレジット状態にすることができるため、遊技ホールは大きな損害を被る。
【０００５】
これを防止するためには、上流側と下流側のメダル検知センサの取付位置をずらし、赤外線発射装置の発光位置と合わないようにすることも考えられるが、このようにすると、メダルセレクターの大きさや形状を変えるなど、その設計変更を余儀なくされ、コスト高となる。
【０００６】
また、赤外線発射装置の形状を、新たなメダルセレクター用に変更されて、再び不正行為が行われる恐れもある。
【０００７】
本発明は、上記問題点に鑑みてなされたもので、赤外線発射装置等によるメダル検知センサの誤作動をなくすことにより、メダルセレクター部での不正行為が行われるのを確実に防止しうるようにした遊技機を提供することを目的としている。
【課題を解決するための手段】
【０００８】
本発明によると、上記課題は、次のようにして解決される。
(１)メダル投入口より投入されたメダルを案内して筐体内に取込むメダル通路に、投光器と受光器とからなるメダル検知センサを設け、投入されたメダルが前記投光器より受光器に向かって発光せられる光軸を遮ることにより、メダルの通過を検出するようにした遊技機において、前記投光器をパルス信号により発光するようにするとともに、そのパルス信号の発光パターンを、パルスパターン制御手段により変更しうるようにする。
【０００９】
(２)上記(１)項において、パルスパターン制御手段が、発光パターンにおけるパルス幅を変更するパルス幅変調器を備えるものとする。
【００１０】
(３)上記(１)または(２)項において、パルスパターン制御手段が、発光パターンにおけるパルス間隔を変更するパルス間隔変調器を備えるものとする。
【００１１】
(４)上記(１)項において、パルスパターン制御手段を、発光パターンにおけるパルス幅又はパルス間隔もしくはそれらの両方が異なるパルスパターンを記憶させたパルスパターンメモリとする。
【００１２】
(５)上記(４)項において、パルスパターンメモリが、複数の異なるパルスパターンを予め記憶させたものとする。
【発明の効果】
【００１３】
本発明によれば、次のような効果を奏することができる。
請求項１記載の発明によれば、メダル検知センサの投光器をパルス信号により発光させる発光パターンを、パルスパターン制御手段により変更しうるようにしているため、メダル投入口より赤外線発射装置等を差し込んで、メダル検知センサに誤作動を生じさせようとしても、その投光器の発光パターンと同期させて赤外線を発射することは困難となるので、メダルを実際に投入したと同様の仮想のメダル投入状態とする不正行為が行われる恐れはない。
【００１４】
請求項２記載の発明によれば、パルス幅変調器により、発光パターンのパルス幅を変更するので、そのパルス幅に同期させて、赤外線発射装置等より赤外線を発射することは困難となり、不正行為は確実に防止される。
【００１５】
請求項３記載の発明によれば、パルス間隔変調器により、発光パターンのパルス同士間の間隔を変更するので、そのパルス間隔に同期させて、赤外線発射装置等より赤外線を発射させることは困難となり、上記と同様、不正行為は確実に防止される。
なおこの場合、請求項２記載のパルス変調器と併用すれば、より一層不正行為が行われにくくなる。
【００１６】
請求項４記載の発明によれば、パルスパターンメモリから、パルス幅又はパルス間隔もしくはその両方の異なるパルスパターンを読み込んで、投光器を発光させうるので、そのパルスパターンに同期させて、赤外線発射装置等より赤外線を発射することは困難となり、上記と同様、不正行為は確実に防止される。
【００１７】
請求項５記載の発明によれば、パルスパターンメモリから、複数の異なるパルスパターンを、順番に、又はランダムに呼び出して投光器を発光させうるので、
赤外線発射装置等より発射される赤外線を、上記パルスパターンと同期させることはより困難となる。
【発明を実施するための最良の形態】
【００１８】
以下、本発明の一実施形態を、図面に基づいて説明する。
図１は、本発明の一実施形態を適用した遊技機（スロットマシン）の正面図である。なお、以下の説明では、図１における紙面の手前方向を遊技機の前方、紙面の奥方面を同じく後方、紙面左方を同じく左側、紙面右方を同じく右側とする。
【００１９】
遊技機(１)は、遊技媒体を円板状のメダル（コインも含む）とし、このメダルを、筺体(２)の前面に設けた前扉(2a)の右側に設けられた後述のメダル投入部(６)に投入することにより、所定のゲームが行われるものである。筺体(２)内には、外周面に複数種類の図柄が付記された３個の回胴体(3a)やその回転モータ、インデックスセンサ等を内蔵した図柄表示ユニット(３)、各装置を制御するための制御基板、照明装置、及び音響装置、並びにその他の装置等が収容されている。
【００２０】
また、前扉(2a)の前面側には、上方から、図柄表示ユニット(３)の図柄を視認可能な表示窓(2b)、図柄表示ユニット(３)の入賞有効ラインを表示する表示ランプ(４)、入賞有効ライン上に並ぶ図柄が予め定められた組み合わせになったときに発生する入賞時のメダルの払い出し枚数、クレジット枚数、ボーナス枚数等を表示する表示部(５)、メダルを１枚ずつ筺体(２)内に投入可能なメダル投入部(６)、各種操作スイッチが配置されたスイッチ操作部(７)、払出されるメダル及び返却されるメダルの払出口(８)、払出口(８)から出てくるメダルを受け入れる受け皿(９)が設けられている。
【００２１】
スイッチ操作部(７)には、クレジット状態（予めメダル投入部(６)に投入されたメダル数を電気的に記憶して貯留する状態）のメダルを精算するときに操作される精算スイッチボタン(10)、クレジット状態のメダルを１枚ずつゲームに投資するときに操作される１枚投入スイッチボタン(11)、最大数の３枚のメダルをゲームに投資するときに操作されるＭＡＸベットスイッチボタン(12)、図柄表示ユニット(３)における各回胴体(3a)の回転を開始させるときに操作されるスタートレバー(13)、及び各回胴体(3a)の回転を停止させるときに操作されるストップスイッチボタン(14)、精算ボタン（図示略）等が配置されている。
【００２２】
図８のブロック図に示すように、上記図柄表示ユニット(３)は、中央演算装置（ＣＰＵ）を備える制御基板(Ｃ)に接続され、３個の回胴体(3a)の回転が制御されるようになっている。
【００２３】
スロットマシン等の遊技機(１)においてゲームは、メダル投入部(６)に投入されたメダルを遊技機(１)の内部に取り込ませてクレジット状態とし、１枚投入スイッチボタン(11)またはＭＡＸベットスイッチボタン(12)を操作して、スタートレバー(13)を操作することによって開始される。
【００２４】
メダル投入部(６)より投入されたメダルは、筺体(２)の内部に設けられ、かつメダル投入部(６)の真下に配置された後述のメダルセレクター(15)に送出されて、メダルの真偽及び投入が検知された後、メダルセレクター(15)の下方に配置されたメダル払出ホッパ（図示略）に送出される。
【００２５】
図８のブロック図に示すように、メダル払出ホッパ(Ｈ)は制御基板(Ｃ)に接続され、入賞した際に、メダル払出ホッパ内の払出センサとホッパモータ（いずれも図示略）により、メダル払出ホッパ内に貯留されたメダルが自動的に払い出されるようになってる。
【００２６】
メダルが遊技機(１)の内部に取り込まれた後、スタートレバー(13)を操作すると、３個の回胴体(3a)が一斉に回転して、ゲームが開始される。所定時間が経過した後、各回胴体(3a)に対応するストップスイッチボタン(14)を順次操作して、各回胴体(3a)の回転を個別に停止させることによって、入賞有効ライン上に並ぶ図柄の組み合わせにより、入賞の有無、及び賞の大小に応じたメダルの配当枚数が決定される。入賞した場合には、メダルが、メダル払出ホッパにより、配当枚数分だけ払出口(８)から受け皿(９)に払い出される。
【００２７】
図２は、前扉(2a)の下半部の後面図を示すもので、上記メダル投入部(６)の下方には、メダルセレクター(15)が設けられている。このメダルセレクター(15)は、図３〜図６に詳細を示すように、合成樹脂よりなる平面視ほぼコ字状のセレクターベース(16)と、その後面側に配設される合成樹脂製の開閉ガイド板(17)と、金属製の可動ガイドプレート(18)と、セレクターベース(16)の前面側に配設されるソレノイド(19)と、メダル通過方向検出手段(20)とを主要部として構成されている。
【００２８】
セレクターベース(16)の後面には、上述したメダル投入部(６)の投入口と連通する垂直路(21a)と、この垂直路(21a)の下端に円弧状の湾曲路(21b)を介して連続するとともに、図４及び図５における右方の側板(16a)の下端に開口したスリット状の出口孔(22)に連通する、下方に緩やかに傾斜する傾斜路(21c)とからなるメダル通路(21)が形成されている。このメダル通路(21)の幅は、メダルの直径とほぼ等しく、かつその前面には、投入されたメダルの通過抵抗を低減して円滑に転動通過させるための複数の突条(23)が、互いに平行をなして突設されている。
【００２９】
また、上記湾曲路(21b)と傾斜路(21c)、及び該傾斜路(21c)の側端と連通する出口孔(22)は、垂直面に対し、上部が後方を向くように約１５°後傾させてある（図５、図６参照）。
【００３０】
これは、詳細は後述するが、正規のメダルよりも小径のメダル（又はコイン）が投入されたときや、遊技機が未稼働状態にあるとき、投入メダルを自重により横倒れさせてメダル通路(21)より排出するためである。
【００３１】
セレクターベース(16)の後面の下端部には、投入されたメダルの下端を受支して転動させるための硬質金属製の受板(24)が、その上端面が湾曲路(21b)と傾斜路(21c)の下端と同一面に整合するように、前面側よりねじ(25)により固定されている。
【００３２】
上記開閉ガイド板(17)の上端のやや側方寄りは、セレクターベース(16)の後面上部の隅部に突設した１対の支持片(26)(26)に、ピン(27)により回動自在に枢着され、下端部の前面が受板(24)の後面と当接するように、ねじりばね(28)により常時セレクターベース(16)に向かって付勢されている。
【００３３】
開閉ガイド板(17)における湾曲路(21b)の下部と傾斜路(21c)とに対向する部分には、後記する返却ダクト(33)にメダルを横倒しさせて排出するための排出口(29)が大きく開口されている。
【００３４】
垂直路(21a)と対向する後面は、メダル１枚が通過しうる案内路(30)が形成されるようにして、開閉ガイド板(17)により閉塞されている（図５参照）。
【００３５】
図５に示すように、開閉ガイド板(17)の下端部と、セレクターベース(16)における湾曲路(21b)と傾斜路(21c)の下端部との対向面、及びそれらの間に位置する受板(24)の上端面により、メダルの下端部を転動自在に案内するガイド凹溝(31)が形成されている。
【００３６】
開閉ガイド板(17)におけるメダル通過方向の側端下部に連設された側片(17a)の内側面には、平面視内向Ｌ字状をなす金属製のカバープレート(32)が取付けられている。このカバープレート(32)は、上記排出口(29)より横倒れして排出されたメダル等を受け止めて、メダルセレクター(15)の直下に設けた返却ダクト(33)（図２参照）に投入し、払出口(８)から受け皿(９)に返却するためのものである。
【００３７】
図３及び図４に示すように、セレクターベース(16)の前面上部に突設した支持片(34)には、リジェクトレバー(35)の上端が、ピン(36)により前後方向に回動自在に枢着され、その下方を向く後部側の押圧片(35a)は、セレクターベース(16)の開口(37)を挿通して、後面が開閉ガイド板(17)の前面と当接しうるようになっている。
【００３８】
図１に示すように、前扉(2a)の前面におけるメダル投入部(６)の直下に設けたリジェクトボタン(38)を押すと、その後端が上記リジェクトレバー(35)の前部側の下向片(35b)の前面と当接して後方に回動させることにより、押圧片(35a)が開口(37)より突出し、開閉ガイド板(17)を後方に回動させる。
【００３９】
これにより、セレクターベース(16)と開閉ガイド板(17)との間が大きく開かれ、メダル通路(21)に詰まったメダルや異物が返却ダクト(33)に排出される。
【００４０】
上述した可動ガイドプレート(18)は、図３、図４、及び図７の断面図に示すように、セレクターベース(16)の後面側において傾斜路(21c)の上端部と対向するガイド片(18a)と、その中央部に連設され、セレクターベース(16)を貫通して前方に延出する作動片(18b)と、同じく、セレクターベース(16)を貫通して前方に延出する１対の枢支片(18c)(18c)とを備え、両枢支片(18c)を、セレクターベース(16)の前方に突設した１対の支持片(39)に、ねじりばね(40)を挿通したピン(41)に枢着することにより、前後方向に回動自在に、かつガイド片(18a)が常時傾斜路(21c)と離間する方向に付勢されるようにして取付けられている。
【００４１】
上記一方（左方）の枢支片(18c)の前端には、長寸の垂下片(42)が連設され、その下端の後向突片(42a)は、セレクターベース(16)を貫通して、常時傾斜路(21c)の出口部付近に突出している。
【００４２】
この後向突片(42a)は、ソレノイド(19)がオフとされているとき、すなわち遊技ホールが準備中で遊技機が未稼働状態にあるとき、投入されたメダル(Ｍ)の通過をブロックして、メダル払出ホッパに送り込まれるのを防止し、返却ダクト(33)に強制的に投入するためのものである。
【００４３】
遊技機が稼働状態にあるときには、ソレノイド(19)はオンとされてメダル通過可能状態となり、ソレノイド(19)の前面側の傾動板(43)が吸着されて上端部の押動片(43a)が後方に移動することにより、図７に示すように、 可動ガイドプレート(18)における作動片(18b)の前端の起立片(18d)が後向きに押圧される。
【００４４】
これにより、下端のガイド片(18a)は、傾斜路(21c)と接近する方向に移動し、ガイド片(18a)の下端部と傾斜路(21c)との対向面間に、メダル(Ｍ)の上端部をガイドするガイド溝が形成される。また同時に、上記後向突片(42a)が傾斜路(21c)から前方に引っ込むことにより、投入されたメダル(Ｍ)は、払出ホッパに向かって転動することができる。
【００４５】
ソレノイド(19)がオフされると、傾動板(43)の下端部が復帰ばね(44)により引っ張られ、上端部の押動片(43a)が前方に移動することにより、可動ガイドプレート(18)は、ピン(41)を中心として後向きに回動し、図７の２点鎖線で示すように、ガイド片(18a)が後方に回動して傾斜路(21c)より離間する。
【００４６】
これにより、メダル(Ｍ)の上端部をガイドするガイド溝が開かれ、メダル(Ｍ)は２点鎖線のように、後傾させた傾斜路(21c)を通過する間に自重により横倒しされて返却ダクト(33)に排出される。
【００４７】
なお、ソレノイド(19)がオンされた状態であっても、正規のメダル(Ｍ)の直径より小さいメダル等が投入された際には、その上端部がガイド片(18a)によりガイドされないので、横倒しされて返却ダクト(33)に排出される。
【００４８】
図３、図４、及び図６に示すように、メダル通過方向検出手段(20)は、側面視倒立Ｌ字状をなす基板(45)における下向片(45a)の上端部と下部とに、それぞれ投光軸が後方を向くようにした投光器(46)と、受光軸が斜め上下方向を向くようにした受光器(47)とからなる透過型の第１メダル検知センサ(S1)と第２メダル検知センサ(S2)を、メダル(Ｍ)の通過方向に沿う上流側と下流側に沿って２組ずつ組込んで構成されている。
【００４９】
投光器(46)には、例えば赤外線発光ダイオード等の発光素子が、受光器(47)には、例えば、フォトトランジスタ等の受光素子がそれぞれ用いられている。
基板(45)の後向片(45b)の後端下部には、投光器(46)よりの光軸を受光器(47)に向かって屈折させる反射板(48)が設けられている。
【００５０】
メダル通過方向検出手段(20)は、その後向片(45b)がセレクターベース(16)を貫通して傾斜路(21c)の出口部付近の上方に突出するとともに、反射板(48)よりの光軸(49)が、投入メダル(Ｍ)の通過時にその上端部により遮られるようにして、セレクターベース(16)の前面にねじ(50)により固定されている。
【００５１】
上記第１及び第２メダル検知センサ(S1)(S2)と、上述したソレノイド(19)は、図３に示すハーネス(51)(52)により、図８に示す制御基板(Ｃ)に接続されている。
【００５２】
(53)は、上記メダル通路(21)の出口孔(22)より出たメダル(Ｍ)を、メダルホッパに案内して投入するためのメダルシュートである。
【００５３】
第１及び第２メダル検知センサ(S1)(S2)の投光器(46)は、図８、図１０及び図１２のブロック図に示す実施形態のいずれかのパルスパターン制御手段(54)に接続され、これにより制御された発光パターンで発光するようになっている。
【００５４】
すなわち、図８に示す実施形態のパルスパターン制御手段(54)は、パルス幅変調器(55)と、これに接続され、パルス幅の可変信号を発信するパルス幅可変用信号発信器(56)とを備え、パルス幅可変用信号発信器(56)には、制御基板(Ｃ)より繰り返し信号が周期的に入力されるようになっている。
【００５５】
制御基板(Ｃ)より、パルス幅可変用信号発信器(56)を介してパルス幅変調器(55)にパルスの制御信号が発信されると、投光器(46)に、デューティ比の異なるパルス信号、すなわち例えば図９に示すように、繰返し時間(Ｔ)（一定）に対しパルス幅（発光時間）(ｔ)が複数パターン（例えば４パターン）に変化するパルス信号が一定周期で繰り返し発信され、その発光パターンに応じて投光器(46)が発光する。
【００５６】
投光器(46)が上記のパルスパターンで発光し、これが受光器(47)により受光されると、図示しないパルスパターン検出手段（例えばアンド回路）が、発光パターンと受光パターンとの位相が同期しているか否かを検出し、図９に示すように、投光器(46)と受光器(47)のパルスパターンが完全に一致したとき、受光信号が制御基板(Ｃ)に入力される。
【００５７】
投入されたメダル(Ｍ)が上記パルスパターンで発光している光軸を遮ると、その部分のパルス信号が受光器(47)に届かなくなるため、第１及び第２メダル検知センサ(S1)(S2)はオフとなり、メダル(Ｍ)が通過したことが検出される。また、両検知センサ(S1)(S2)がオン・オフする順序とその時間により、メダル(Ｍ)の通過方向も同時に検出される。
【００５８】
上記のように、デューティ比（パルス幅）を複数に異ならせた発光パターンにより、投光器(46)を発光させると、メダル投入口より赤外線発射装置等を差し込み、受光器(47)に向かって赤外線を発射し、メダル検知センサ(S1)(S2)を誤作動させようとしても、複数の異なるパルス幅に同期させて赤外線を発射することは困難となり、投光器(46)と受光器(47)とのパルスパターンに不一致が生じてエラー信号が発せられる。
従って、メダルを実際に投入したと同様の仮想のメダル投入状態とする不正行為が行われる恐れはない。
【００５９】
図１０に示す実施形態のパルスパターン制御手段(54)は、パルス間隔変調器(57)と、これに接続され、パルス間隔の可変用信号を送信するパルス間隔可変用信号発信器(58)とを備え、このパルス間隔可変用信号発信器(58)には、制御基板(Ｃ)より繰り返し信号が周期的に入力されるようになっている。
【００６０】
制御基板(Ｃ)より、パルス間隔可変用信号発信器(58)を介してパルス間隔変調器(57)にパルスの制御信号が発信されると、投光器(46)に、図１１に示すように、パルス幅（発光時間）(ｔ)が一定で、パルス間隔(Ｔ)が複数パターン（例えば３パターン）に変化するパルス信号が、一定周期で繰り返し送信され、その発光パターンに応じて投光器(46)が発光する。
【００６１】
受光器(47)は、上記と同様、投光器(46)とのパルスパターンが完全に一致したとき、受光信号を制御基板(Ｃ)に入力するようになっている。
従って、上記と同様、投入されたメダル(Ｍ)が投光器(46)の光軸を遮ると、その部分のパルス信号が、受光器(47)に届かなくなるため、第１及び第２メダル検知センサ(S1)(S2)がオフとなり、メダル(Ｍ)が通過したことが検出される。
【００６２】
上記のようなパルス間隔変調器(57)を備えるパルスパターン制御手段(54)においても、パルス間隔(Ｔ)が変化するため、赤外線発射装置等により、異なるパルス間隔に同期させて赤外線を発射することは難しく、従って、不正行為が行われるのを防止することができる。
【００６３】
図１２に示す実施形態は、パルスパターン制御手段(54)を、制御基板(Ｃ)に設けられたパルスパターンメモリ（ＲＯＭ）(59)とした例である。
【００６４】
パルスパターンメモリ(59)には、例えば図１３に示すように、(１)〜(ｎ)番目までの複数のパルスパターンが記憶されている。
【００６５】
各パルスパターンは、上述したように、パルス幅のデューティ比を複数に異ならせたものや、パルス間隔を複数に異ならせたもの、あるいは、パルス幅とパルス間隔をランダムに異ならせたものなどを、デジタルコードで作成して記憶されている。
【００６６】
このような複数のパルスパターンを制御基板(Ｃ)が順番に、又はランダムに読み込み、そのパルスパターンに基づいて投光器(46)を発光させ、このパターンと同期して受光器(47)が受光信号を発信するようにすれば、上記と同様、赤外線発射装置等を用いて、各種のパルスパターンに同期させた赤外線を発射することは困難となり、メダル検知センサ(S1)(S2)を誤作動させる不正行為が行われる恐れはない。
【００６７】
なお、上記図８及び図１０のブロック図において、パルスパターン制御手段(54)に設けたパルス幅可変用信号発信器(56)と、パルス間隔可変用信号発信器(58)を省略し、それらを制御基板(Ｃ)に設けて、制御基盤(Ｃ)より、パルス幅変調器(55)及びパルス間隔変調器(57)に直接可変信号を発信するようにしてもよい。
【００６８】
また、１つのパルスパターン制御手段(54)に、パルス幅変調器(55)とパルス間隔変調器(57)とを併設し、これらにより、パルス幅とパルス間隔の異なるパルスパターンを形成し、その発光パターンにより投光器(46)を発光させるようにしてもよい。
【００６９】
上記実施形態のパルスパターンメモリ(59)は、複数種類のパルスパターンを予め記憶させたＲＯＭとしているが、パルス幅又はパルス間隔もしくはその両方を適宜異ならせた１種類のパルスパターンを記憶させたＲＯＭを用いてもよい。
【００７０】
また、上記のようなＲＯＭの代わりに、乱数発生器等により出力された適宜のパルスパターンを記憶させたＲＡＭ等を用いることもある。
【００７１】
上記実施形態では、メダル(Ｍ)の通過を検知するメダル検知センサを２個設けたが１個とすることもある。
【図面の簡単な説明】
【００７２】
【図１】本発明を適用した遊技機の正面図である。
【図２】同じく、前扉の要部の後面図である。
【図３】メダル検出センサを備えるメダルセレクターの分解斜視図である。
【図４】同じく、メダルシュートを取付けた状態のメダルセレクターの後面図である。
【図５】図４のＶ−Ｖ線縦断側面図である。
【図６】同じく、VI−VI線縦断側面図である。
【図７】同じく、VII−VII線縦断側面図である。
【図８】同じく、第１の実施形態のパルスパターン制御手段を備える遊技機制御用の要部のブロック図である。
【図９】図８のパルスパターン制御手段により得られる発光パターンと受光パターンを示す図である。
【図１０】第２の実施形態のパルスパターン制御手段を備える遊技機制御用の要部のブロック図である。
【図１１】図１０のパルスパターン制御手段により得られる発光パターンと受光パターンを示す図である。
【図１２】第３の実施形態のパルスパターン制御手段を備える遊技機制御用の要部のブロック図である。
【図１３】図１２のパルスパターメモリに記憶されたパルスパターンの一例である。
【符号の説明】
【００７３】
(１)遊技機
(２)筺体
(2a)前扉
(2b)表示窓
(３)図柄表示ユニット
(3a)回胴体
(４)表示ランプ
(５)表示器
(６)メダル投入部
(７)スイッチ操作部
(８)払出口
(９)受け皿
(10)精算スイッチボタン
(11)１枚投入スイッチボタン
(12)ＭＡＸベットスイッチボタン
(13)スタートレバー
(14)ストップスイッチボタン
(15)メダルセレクター
(16)セレクターベース
(17)開閉ガイド板
(18)可動ガイドプレート
(18a)ガイド片
(18b)作動片
(18c)枢支片
(18d)起立片
(19)ソレノイド
(20)メダル通過方向検出手段
(21)メダル通路
(21a)垂直路
(21b)湾曲路
(21c)傾斜路
(22)出口孔
(23)突条
(24)受板
(25)ねじ
(26)支持片
(27)ピン
(28)ねじりばね
(29)排出口
(30)案内路
(31)ガイド凹溝
(32)カバープレート
(33)返却ダクト
(34)支持片
(35)リジェクトレバー
(35a)押圧片
(35b)下向片
(36)ピン
(37)開口
(38)リジェクトボタン
(39)支持片
(40)ねじりばね
(41)ピン
(42)垂下片 
(42a)後向突片
(43) 傾動板  
(43a)後向片
(44)復帰ばね
(45)基板
(45a)下向片
(45b)後向片
(46)投光器
(47)受光器
(48)反射板
(49)光軸
(50)ねじ
(51)(52) ハーネス
(53)メダルシュート
(54)パルスパターン制御手段
(55)パルス幅変調器
(56)パルス幅可変用信号発信器
(57)パルス間隔変調器
(58)パルス間隔可変用信号発信器
(59)パルスパターンメモリ
(Ｃ)制御基板
(Ｈ)メダル払出ホッパ
(Ｍ)メダル
(S1)第１メダル検知センサ
(S2)第２メダル検知センサ
【図１】
2006051141.tif 000003
【図２】
2006051141.tif 000004
【図３】
2006051141.tif 000005
【図４】
2006051141.tif 000006
【図５】
2006051141.tif 000007
【図６】
2006051141.tif 000008
【図７】
2006051141.tif 000009
【図８】
2006051141.tif 000010
【図９】
2006051141.tif 000011
【図１０】
2006051141.tif 000012
【図１１】
2006051141.tif 000013
【図１２】
2006051141.tif 000014
【図１３】
2006051141.tif 000015